(57)【要約】【課題】ズームレンズの薄型化、小型化、低コスト化等を図る。【解決手段】物体側から順に、負，正，正の第１レンズ群Ｉ，第２レンズ群ＩＩ，第３レンズ群ＩＩＩを備え、各々のレンズ群の間隔を変化させて変倍を行い、第１レンズ群は、物体側に凹面を向けた樹脂製の負の第１レンズ１及び正の第２レンズ２、第２レンズ群は、開口絞りＳＤ、一方の面が非球面で正の第３レンズ３、両凸形状で正の第４レンズ４、及び像面側に凹面を向け第４レンズに接合された負の第５レンズ５、第３レンズ群は両凸形状で樹脂製の正の第６レンズ６からなり、５．０＜Ｔｔ／ｆｗ＜６．０、１．５＜ｆＧ２／ｆｗ＜２、０．５＜｜ｆ１／ｆ６｜＜０．７、Ｔｔ：望遠端でのレンズ系全長、ｆｗ：広角端での焦点距離、ｆＧ２，ｆ１，ｆ６は第２レンズ群，第１レンズ，第６レンズの焦点距離を満足する。これにより、小型化、薄型化、低コスト化できる。【選択図】図１
2008216517.tif 000002
【特許請求の範囲】
【請求項１】
物体側から像面側に向けて順に、負の屈折力をもつ第１レンズ群と、正の屈折力をもつ第２レンズ群と、正の屈折力をもつ第３レンズ群とを備え、各々のレンズ群の間隔を変化させて広角端から望遠端へ変倍を行うズームレンズであって、
前記第１レンズ群は、物体側から順に配列された、物体側に凹面を向け樹脂材料により形成された負の屈折力をもつ第１レンズと、正の屈折力をもつ第２レンズとからなり、
前記第２レンズ群は、物体側から順に配列された、所定の口径をなす開口絞りと、少なくとも一方の面が非球面で正の屈折力をもつ第３レンズと、両凸形状で正の屈折力をもつ第４レンズと、像面側に凹面を向け前記第４レンズに接合された負の屈折力をもつ第５レンズとからなり、
前記第３レンズ群は、両凸形状で樹脂材料により形成された正の屈折力をもつ第６レンズからなり、
下記条件式（１），（２），（３）
（１）５．０＜Ｔｔ／ｆｗ＜６．０
（２）１．５＜ｆＧ２／ｆｗ＜２
（３）０．５＜｜ｆ１／ｆ６｜＜０．７
但し、Ｔｔ：望遠端におけるレンズ系全長（空気換算距離）
ｆｗ：広角端における焦点距離
ｆＧ２：前記第２レンズ群の焦点距離
ｆ１：前記第１レンズの焦点距離
ｆ６：前記第６レンズの焦点距離
を満足する、ことを特徴とするズームレンズ。
【請求項２】
下記条件式（４），（５）
（４）３．０＜Ｄｗ１−２／Ｄｗ２−３＜７．０
（５）Ｄｔ１−２／Ｄｔ２−３＜０．２
但し、Ｄｗ１−２：前記第１レンズ群と前記第２レンズ群の広角端における間隔
Ｄｗ２−３：前記第２レンズ群と前記第３レンズ群の広角端における間隔
Ｄｔ１−２：前記第１レンズ群と前記第２レンズ群の望遠端における間隔
Ｄｔ２−３：前記第２レンズ群と前記第３レンズ群の望遠端における間隔
を満足する、ことを特徴とする請求項１記載のズームレンズ。
【請求項３】
下記条件式（６）
（６）１．３＜｜ｆＧ１／ｆＧ２｜＜１．８
但し、ｆＧ１：前記第１レンズ群の焦点距離
ｆＧ２：前記第２レンズ群の焦点距離
を満足する、ことを特徴とする請求項１又は２に記載のズームレンズ。
【請求項４】
下記条件式（７），（８），（９）
（７）２．０＜｜ｆＧ１／ｆｗ｜＜４．０
（８）０．７＜｜ｆＧ１／ｆｔ｜＜１．５
（９）０．５＜ｆＧ２／ｆＧ３＜１．２
但し、ｆｗ：広角端における焦点距離
ｆｔ：望遠端における焦点距離
ｆＧ１：前記第１レンズ群の焦点距離
ｆＧ２：前記第２レンズ群の焦点距離
ｆＧ３：前記第３レンズ群の焦点距離
を満足する、ことを特徴とする請求項１ないし３いずれかに記載のズームレンズ。
【請求項５】
下記条件式（１０）、
（１０）０．２５＜｜ｆ１／ｆ２｜＜０．５
但し、ｆ１：前記第１レンズの焦点距離
ｆ２：前記第２レンズの焦点距離
を満足する、ことを特徴とする請求項１ないし４いずれかに記載のズームレンズ。
【請求項６】
前記第１レンズ、前記第３レンズ、及び前記第６レンズは、少なくとも一方の面が非球面である、
ことを特徴とする請求項１ないし５いずれかに記載のズームレンズ。
【請求項７】
下記条件式（１１）
（１１）ν３＞６０
但し、ν３：前記第３レンズのアッベ数
を満足する、ことを特徴とする請求項１ないし６いずれかに記載のズームレンズ。
【請求項８】
下記条件式（１２）
（１２）８．０＜ν４−ν５＜２５．０
但し、ν４：前記第４レンズのアッベ数
ν５：前記第５レンズのアッベ数
を満足する、ことを特徴とする請求項１ないし７いずれかに記載のズームレンズ。
【発明の詳細な説明】
【技術分野】
【０００１】
本発明は、ＣＣＤやＣＭＯＳ等の撮像素子を用いたデジタルスチルカメラやデジタルビデオカメラ等に適したズームレンズに関する。
【背景技術】
【０００２】
近年、デジタルカメラ市場においては、小型化、薄型化、高画素化は勿論のこと、低コスト化が強く要求されている。特に、ズーム比が３倍程度の標準タイプのデジタルカメラにおいてはコストを最重視する動きが高まっている。
そのため、レンズの材料としては、ガラス材料に替えて樹脂材料（プラスチック材料）を使用する必要性がある。しかしながら、樹脂材料により形成したレンズ（プラスチックレンズ）は、温度変化に応じて屈折率が変化するため、低温及び高温において、ピントが大きくずれ、又、解像度が大幅に悪くなる傾向があった。
【０００３】
プラスチックレンズを採用した従来のズームレンズとしては、負の屈折力をもつ第１レンズ群、正の屈折力をもつ第２レンズ群、正の屈折力をもつ第３レンズ群を備え、第１レンズ群が、負の屈折力をもつ第１レンズと正の屈折力をもつ第２レンズからなり、第２レンズ群が、正の屈折力をもつ第３レンズ、正の屈折力をもつ第４レンズ、及び第４レンズに接合された負の屈折力をもつ第５レンズからなり、第３レンズ群が、正の屈折力をもつ第６レンズからなるものが知られている（例えば、特許文献１参照）。
しかしながら、このズームレンズにおいては、樹脂材料を用いたプラスチックレンズは第６レンズのみであるため、低コスト化の点では十分ではない。
【０００４】
また、他のズームレンズとしては、負の屈折力をもつ第１レンズ群、正の屈折力をもつ第２レンズ群、正の屈折力をもつ第３レンズ群を備え、第１レンズ群が、負の屈折力をもつ第１レンズと正の屈折力をもつ第２レンズからなり、第２レンズ群が、正の屈折力をもつ第３レンズ、正の屈折力をもつ第４レンズ、及び第４レンズに接合された負の屈折力をもつ第５レンズからなり、第３レンズ群が、正の屈折力をもつ第６レンズからなるものが知られている（例えば、特許文献２参照）。
しかしながら、このズームレンズにおいては、全てのレンズがガラス材料を用いたガラスレンズにより形成されており、又、第１レンズ及び第６レンズのパワーのバランスが悪く、例えばそれらのレンズを樹脂材料により形成したプラスチックレンズに置き換えると、低温及び高温でピントが大きくずれる傾向にある（例えば、特許文献２参照）。
【０００５】
【特許文献１】特開２００５−２７４６６２号公報
【特許文献２】特開２００６−１９４９７５号公報
【発明の開示】
【発明が解決しようとする課題】
【０００６】
本発明は、上記のような従来技術の問題点に鑑みて成されたものであり、その目的とするところは、適材適所に樹脂材料を用いたプラスチックレンズを使用し、又、パワー配置を適切に設定することにより、ズーム比が３倍程度の標準タイプのものに劣らない、小型化、薄型化、高画素化を図りつつ、低コスト化を図ることができ、諸収差が良好に補正された光学性能の高いズームレンズを提供することにある。
【課題を解決するための手段】
【０００７】
本発明のズームレンズは、物体側から像面側に向けて順に、負の屈折力をもつ第１レンズ群と、正の屈折力をもつ第２レンズ群と、正の屈折力をもつ第３レンズ群とを備え、各々のレンズ群の間隔を変化させて広角端から望遠端へ変倍を行うズームレンズであって、第１レンズ群は、物体側から順に配列された、物体側に凹面を向け樹脂材料により形成された負の屈折力をもつ第１レンズと、正の屈折力をもつ第２レンズとからなり、第２レンズ群は、物体側から順に配列された、所定の口径をなす開口絞りと、少なくとも一方の面が非球面で正の屈折力をもつ第３レンズと、両凸形状で正の屈折力をもつ第４レンズと、像面側に凹面を向け前記第４レンズに接合された負の屈折力をもつ第５レンズとからなり、第３レンズ群は、両凸形状で樹脂材料により形成された正の屈折力をもつ第６レンズからなり、下記条件式（１），（２），（３）
（１）５．０＜Ｔｔ／ｆｗ＜６．０
（２）１．５＜ｆＧ２／ｆｗ＜２
（３）０．５＜｜ｆ１／ｆ６｜＜０．７
但し、Ｔｔ：望遠端におけるレンズ系全長（第１レンズの前面から像面までの光軸上における距離、空気換算距離）、ｆｗ：広角端における焦点距離、ｆＧ２：第２レンズ群の焦点距離、ｆ１：第１レンズの焦点距離、ｆ６：第６レンズの焦点距離、
を満足する、ことを特徴としている。
この構成によれば、樹脂材料により形成されたプラスチックレンズを採用しても、通常のガラスレンズを用いたズーム比３倍程度のズームレンズに劣らない小型化、薄型化、高画素化を達成しつつ、低コストのズームレンズを提供することができる。
特に、条件式（１），（２），（３）を満たすことにより、第１レンズ及び第６レンズのパワーのバランスを適切（良好）に設定でき、それ故に、第１レンズ及び第６レンズを樹脂材料により形成したプラスチックレンズとしても、低温及び高温でのピントのずれを防止でき、諸収差が良好に補正された光学性能の高いズームレンズを得ることができる。
【０００８】
上記構成において、第１レンズ群と第２レンズ群の広角端における間隔をＤｗ１−２、第２レンズ群と第３レンズ群の広角端における間隔をＤｗ２−３、第１レンズ群と第２レンズ群の望遠端における間隔をＤｔ１−２、第２レンズ群と第３レンズ群の望遠端における間隔をＤｔ２−３とするとき、下記条件式（４），（５）
（４）３．０＜Ｄｗ１−２／Ｄｗ２−３＜７．０
（５）Ｄｔ１−２／Ｄｔ２−３＜０．２
を満足する、構成を採用することができる。
この構成によれば、条件式（４）を満たすことにより、第２レンズ群の移動量を十分確保することができ、それ故に３倍程度のズーム比を確保することができる。また、条件式（５）を満たすことにより、３倍程度のズーム比を確保しつつも、レンズ系全長を短くでき、沈胴時における薄型化を達成することができる。
【０００９】
上記構成において、第１レンズ群の焦点距離をｆＧ１、第２レンズ群の焦点距離をｆＧ２とするとき、下記条件式（６）
（６）１．３＜｜ｆＧ１／ｆＧ２｜＜１．８
を満足する、構成を採用することができる。
この構成によれば、条件式（６）を満たすことにより、第２レンズ群のパワーを適切に設定でき、第２レンズ群の移動量を適切な値に設定することができる。これにより、レンズ系全長を短くでき、沈胴時における薄型化を達成でき、又、諸収差を良好に補正することができる。
【００１０】
上記構成において、広角端における焦点距離をｆｗ、望遠端における焦点距離をｆｔ、第１レンズ群の焦点距離をｆＧ１、第２レンズ群の焦点距離をｆＧ２、第３レンズ群の焦点距離をｆＧ３とするとき、下記条件式（７），（８），（９）
（７）２．０＜｜ｆＧ１／ｆｗ｜＜４．０
（８）０．７＜｜ｆＧ１／ｆｔ｜＜１．５
（９）０．５＜ｆＧ２／ｆＧ３＜１．２
を満足する、構成を採用することができる。
この構成によれば、条件式（７），（８）を満たすことにより、第１レンズ群のパワーを適切に設定でき、第１レンズ群の移動量を適切な値に設定することができる。これにより、レンズを移動させるカム筒の径が大きくなるのを防止でき、沈胴時における小型化を達成でき、又、諸収差を良好に補正することができる。また、条件式（９）を満たすことにより、第２レンズ群に対する第３レンズ群のパワーを適切に設定でき、レンズ系全長を短くでき、沈胴時における薄型化を達成でき、又、諸収差特に非点収差を良好に補正することができる。
【００１１】
上記構成において、第１レンズの焦点距離をｆ１、第２レンズの焦点距離をｆ２とするとき、下記条件式（１０）、
（１０）０．２５＜｜ｆ１／ｆ２｜＜０．５
を満足する、構成を採用することができる。
この構成によれば、第２レンズに対する第１レンズの焦点距離の条件式（１０）を満たすことにより、諸収差特に広角端の非点収差を良好に補正することができる。
【００１２】
上記構成において、第１レンズ、第３レンズ、及び第６レンズは、少なくとも一方の面が非球面である、構成を採用することができる。
この構成によれば、第１レンズの少なくとも一方の面を非球面にすることにより、広角端でのコマ収差及び非点収差を良好に補正することができ、第３レンズの少なくとも一方の面を非球面とすることにより、広角端から望遠端までの球面収差を良好に補正することができ、第６レンズの少なくとも一方の面を非球面にすることにより、広角端から望遠端までの非点収差を良好に補正することができる。
【００１３】
上記構成において、第３レンズのアッベ数をν３とするとき、下記条件式（１１）
（１１）ν３＞６０
を満足する、構成を採用することができる。
この構成によれば、第３レンズのアッベ数に関する条件式（１１）を満たすことにより、広角端から望遠端での色収差、特に軸上色収差を良好に補正することができる。
【００１４】
上記構成において、第４レンズのアッベ数をν４、第５レンズのアッベ数をν５とするとき、下記条件式（１２）
（１２）８．０＜ν４−ν５＜２５．０
を満足する、構成を採用することができる。
この構成によれば、第４レンズ及び第５レンズのアッベ数に関する条件式（１２）を満たすことにより、色収差、特に広角端及び望遠端での倍率色収差を良好に補正することができる。
【発明の効果】
【００１５】
上記構成をなすズームレンズによれば、樹脂材料を用いたプラスチックレンズを第１レンズ及び第６レンズに適用し、パワー配置を適切に設定したことによって、ズーム比が３倍程度の標準タイプのものに劣らない、小型化、薄型化、高画素化を達成しつつ、低コスト化を達成でき、諸収差が良好に補正された光学性能の高いズームレンズを得ることができる。
【発明を実施するための最良の形態】
【００１６】
以下、本発明の最良の実施形態について、添付図面を参照しつつ説明する。
図１及び図２は、本発明に係るズームレンズの一実施形態を示すものであり、図１はレンズ系の構成図、図２は広角端位置，中間位置，及び望遠端位置でのそれぞれの状態図である。
このズームレンズは、図１に示すように、光軸Ｌ上において物体側から像面側に向けて順に、負の屈折力をもつ第１レンズ群（Ｉ）、正の屈折力をもつ第２レンズ群（ＩＩ）、正の屈折力をもつ第３レンズ群（ＩＩＩ）が配列されている。そして、第３レンズ群（ＩＩＩ）の後方に、赤外線カットフィルタ、ローパスフィルタ等のガラスフィルタ７，８が配置され、その後方にＣＣＤ等の撮像素子の結像面Ｐが配置されている。
このズームレンズにおいては、図２（ａ）の広角端位置、図２（ｂ）の中間位置、図２（ｃ）の望遠端位置で示すように、広角端から望遠端へのズーミングに際して、第１レンズ群（Ｉ）は固定で、第２レンズ群（ＩＩ）が像面側から物体側に単調に移動し、第３レンズ群（ＩＩＩ）が物体側から像面側に単調に移動するようになっている。
【００１７】
第１レンズ群（Ｉ）は、図１に示すように、物体側から順に配列された、物体側に凹面を向け樹脂材料（プラスチック）により形成された負の屈折力をもつ第１レンズ１、正の屈折力をもつ第２レンズ２により形成されている。
第２レンズ群（ＩＩ）は、図１に示すように、物体側から順に配列された、所定の口径をなす開口絞りＳＤ、少なくとも一方の面が非球面で正の屈折力をもつ第３レンズ３、両凸形状で正の屈折力をもつ第４レンズ４、像面側に凹面を向け第４レンズ４に接合された負の屈折力をもつ第５レンズ５により形成されている。
第３レンズ群（ＩＩＩ）は、図１に示すように、両凸形状で樹脂材料（プラスチック）により形成された正の屈折力をもつ第６レンズ６により形成されている。
すなわち、このズームレンズは、３つのレンズ群と、レンズ群全体を形成する６枚のレンズからなる３群６枚構成をなし、３つのレンズ群（Ｉ），（ＩＩ），（ＩＩＩ）の相互の間隔を変化させて広角端から望遠端への変倍を行うようになっている。
【００１８】
ここで、第１レンズ１、第２レンズ２、開口絞りＳＤ、第３レンズ３〜第６レンズ６、ガラスフィルタ７，８、及び像面Ｐが光軸Ｌ上において物体側から順に配列されたレンズ系において、図１に示すように、それぞれの面をＳｉ（ｉ＝１〜１６）、それぞれの面Ｓｉの極率半径をＲｉ（ｉ＝１〜１６）、ｄ線に対する屈折率をＮｉ（ｉ＝１〜６）及びアッベ数をνｉ（ｉ＝１〜６）、第１レンズ１〜像面Ｐまでのそれぞれの光軸Ｌ上における間隔（厚さ、空気間隔）をＤｉ（ｉ＝１〜１６）で表す。
また、第１レンズ１の物体側の面Ｓ１〜像面Ｐｍをレンズ系とし、このレンズ系の広角端，中間，望遠端における焦点距離をｆｗ，ｆｍ，ｆｔ、第１レンズ群（Ｉ）の焦点距離をｆＧ１、第２レンズ群（ＩＩ）の焦点距離をｆＧ２、第３レンズ群（ＩＩＩ）の焦点距離をｆＧ３、第１レンズ１の焦点距離をｆ１、第２レンズ２の焦点距離をｆ２、第６レンズ６の焦点距離をｆ６（＝ｆＧ３）、広角端，中間，望遠端におけるそれぞれのレンズ系全長をＴｗ，Ｔｍ，Ｔｔ、第１レンズ群（Ｉ）と第２レンズ群（ＩＩ）の広角端，望遠端における間隔をＤｗ１−２（＝広角端でのＤ４の値），Ｄｔ１−２（＝望遠端でのＤ４の値）、第２レンズ群（ＩＩ）と第３レンズ群（ＩＩＩ）の広角端，望遠端における間隔をＤｗ２−３（＝広角端におけるＤ１０の値），Ｄｔ２−３（＝望遠端におけるＤ１０の値）で表す。
【００１９】
＜第１レンズ群（Ｉ）＞
第１レンズ１は、樹脂材料により形成されたプラスチックレンズであり、図１に示すように、物体側に凹面Ｓ１及び像面側に凹面Ｓ２を向けた負の屈折力をもつ両凹形状のレンズである。ここで、面Ｓ１，Ｓ２は、好ましくは少なくとも一方の面が非球面に形成されている。
ここで、第１レンズ１は、少なくとも物体側の面Ｓ１が凹面をなすように形成された負の屈折力をもつレンズであればよい。このように、第１レンズ１の少なくとも一方の面を非球面にすることにより、広角端でのコマ収差及び非点収差を良好に補正することができる。
【００２０】
第２レンズ２は、ガラス材料により形成されたガラスレンズであり、図１に示すように、物体側に凸面Ｓ３及び像面側に凹面Ｓ４を向けた正の屈折力をもつメニスカス形状のレンズである。ここで、面Ｓ３，Ｓ４は、共に球面に形成されている。尚、第２レンズ２は、少なくとも正の屈折力をもつように形成されていればよい。
【００２１】
＜第２レンズ群（ＩＩ）＞
開口絞りＳＤは、図１に示すように、第２レンズ群（ＩＩ）内の最も物体側に配置されており、レンズ系の光量を調整すると共に、光路を所望の経路に設定して、全体として諸収差の補正等にも寄与している。
第３レンズ３は、ガラス材料により形成されたガラスレンズであり、図１に示すように、物体側に凸面Ｓ６及び像面側に凸面Ｓ７を向けた正の屈折力をもつ両凸形状のレンズである。
ここで、面Ｓ６，Ｓ７は、少なくとも一方の面が非球面に形成されている。このように、第３レンズ３の少なくとも一方の面を非球面とすることにより、広角端から望遠端までの球面収差を良好に補正することができる。
【００２２】
第４レンズ４は、ガラス材料により形成されたガラスレンズであり、図１に示すように、物体側に凸面Ｓ８及び像面側に凸面Ｓ９を向けた正の屈折力をもつ両凸形状のレンズである。ここで、面Ｓ８，Ｓ９は、共に球面に形成されている。
第５レンズ５は、ガラス材料により形成されたガラスレンズであり、図１に示すように、物体側に凹面Ｓ９及び像面側に凹面Ｓ１０を向けた負の屈折力をもつ両凹形状のレンズである。そして、第５レンズ５は、物体側の面Ｓ９が第４レンズ４の像面側の面Ｓ９に接合されている。ここで、面Ｓ９，Ｓ１０は、共に球面に形成されている。
尚、第５レンズ５は、少なくとも像面側の面Ｓ１０が凹面をなすように形成された負の屈折力をもつレンズであればよい。
【００２３】
＜第３レンズ群（ＩＩＩ）＞
第６レンズ６は、樹脂材料により形成されたプラスチックレンズであり、図１に示すように、物体側に凸面Ｓ１１及び像面側に凸Ｓ１２を向けた正の屈折力をもつ両凸形状のレンズである。
ここで、面Ｓ１１，Ｓ１２は、好ましくは少なくとも一方の面が非球面に形成されている。このように、第６レンズ６の少なくとも一方の面を非球面にすることにより、広角端から望遠端までの非点収差を良好に補正することができる。
【００２４】
また、上記構成において、望遠端におけるレンズ系全長（第１レンズ１の前面Ｓ１から像面Ｐまでの光軸Ｌ上における距離、空気換算距離）Ｔｔ、広角端におけるレンズ系の焦点距離ｆｗ、第２レンズ群（ＩＩ）の焦点距離ｆＧ２、第１レンズ１の焦点距離ｆ１、第６レンズ６の焦点距離ｆ６が、下記条件式（１），（２），（３）
（１）５．０＜Ｔｔ／ｆｗ＜６．０
（２）１．５＜ｆＧ２／ｆｗ＜２
（３）０．５＜｜ｆ１／ｆ６｜＜０．７
を満足するように形成されている。
これによれば、条件式（１），（２），（３）を満たすことにより、第１レンズ１及び第６レンズ６のパワーのバランスを適切（良好）に設定でき、それ故に、第１レンズ１及び第６レンズ６を樹脂材料により形成したプラスチックレンズとしても、低温及び高温でのピントのずれを防止でき、諸収差が良好に補正された光学性能の高いズームレンズを得ることができる。すなわち、樹脂材料により形成されたプラスチックレンズ（第１レンズ１、第６レンズ６）を採用しても、通常のガラスレンズを用いたズーム比３倍程度のズームレンズに劣らない、小型化、薄型化、高画素化を達成しつつ、低コストのズームレンズを提供することができる。
【００２５】
また、上記構成において、第１レンズ群（Ｉ）と第２レンズ群（ＩＩ）の広角端における間隔Ｄｗ１−２、第２レンズ群（ＩＩ）と第３レンズ群（ＩＩＩ）の広角端における間隔Ｄｗ２−３、第１レンズ群（Ｉ）と第２レンズ群（ＩＩ）の望遠端における間隔Ｄｔ１−２、第２レンズ群（ＩＩ）と第３レンズ（ＩＩＩ）の望遠端における間隔Ｄｔ２−３が、好ましくは下記条件式（４），（５）
（４）３．０＜Ｄｗ１−２／Ｄｗ２−３＜７．０
（５）Ｄｔ１−２／Ｄｔ２−３＜０．２
を満足するように形成される。
Ｄｗ１−２／Ｄｗ２−３の値が条件式（４）の範囲から逸脱すると、第２レンズ群（ＩＩ９の移動量が確保できなくなり、３倍のズーム比を稼ぐことが困難になり、又、Ｄｔ１−２／Ｄｔ２−３の値が条件式（５）から逸脱すると、３倍程度のズーム比を稼いだ場合にレンズ系全長が長くなり、沈胴時の薄型化を達成することが困難になる。
すなわち、条件式（４）を満たすことにより、第２レンズ群（ＩＩ）の移動量を十分確保することができ、それ故に３倍程度のズーム比を確保することができる。また、条件式（５）を満たすことにより、３倍程度のズーム比を確保しつつも、レンズ系全長を短くでき、沈胴時における薄型化を達成することができる。
【００２６】
また、上記構成において、第１レンズ群（Ｉ）の焦点距離ｆＧ１、第２レンズ群（ＩＩ）の焦点距離ｆＧ２が、好ましくは下記条件式（６）
（６）１．３＜｜ｆＧ１／ｆＧ２｜＜１．８
を満足するように形成される。
条件式（６）は、第１レンズ群（Ｉ）に対する第２レンズ群（ＩＩ）の焦点距離を規定するものである。｜ｆＧ１／ｆＧ２｜の値が条件式（６）の下限を下回ると、第２レンズ群（ＩＩ）のパワーが弱くなるため第２レンズ群（ＩＩ）の移動量が増え、レンズ系全長が長くなり、沈胴時の薄型化を達成することが困難になり、一方、｜ｆＧ１／ｆＧ２｜の値が条件式（６）の上限を超えると、第２レンズ群（ＩＩ）のパワーが強くなり過ぎ、移動料としては有利になるが収差の補正が困難になる。
すなわち、条件式（６）を満たすことにより、第２レンズ群（ＩＩ）のパワーを適切に設定でき、第２レンズ群（ＩＩ）の移動量を適切な値に設定することができる。これにより、レンズ系全長を短くでき、沈胴時における薄型化を達成でき、又、諸収差を良好に補正することができる。
【００２７】
また、上記構成において、広角端におけるレンズ系の焦点距離ｆｗ、望遠端におけるレンズ系の焦点距離ｆｔ、第１レンズ群（Ｉ）の焦点距離ｆＧ１、第２レンズ群（ＩＩ）の焦点距離ｆＧ２、第３レンズ群（ＩＩＩ）の焦点距離ｆＧ３が、好ましくは下記条件式（７），（８），（９）
（７）２．０＜｜ｆＧ１／ｆｗ｜＜４．０
（８）０．７＜｜ｆＧ１／ｆｔ｜＜１．５
（９）０．５＜ｆＧ２／ｆＧ３＜１．２
を満足するように形成される。
条件式（７），（８），（９）は、第１レンズ群（Ｉ）の焦点距離と、第２レンズ群（ＩＩ）に対する第３レンズ群（ＩＩＩ）の焦点距離を規定するものである。｜ｆＧ１／ｆｗ｜の値及び｜ｆＧ１／ｆｔ｜の値が条件式（７），（８）の下限を下回ると、第１レンズ群（Ｉ）のパワーが強くなり過ぎ、第１レンズ群（Ｉ）の移動量としては有利になるが、収差の補正が困難になり、一方、｜ｆＧ１／ｆｗ｜の値及び｜ｆＧ１／ｆｔ｜の値が条件式（７），（８）の上限を超えると、第１レンズ群（Ｉ）のパワーが弱くなり過ぎ、第１レンズ群（Ｉ）の移動量が増えるため、レンズを駆動するカム筒等の径が大きくなり沈胴時の小型化を達成することができない。
ｆＧ２／ｆＧ３の値が条件式（９）の下限を下回ると、第２レンズ群（ＩＩ）に対する第３レンズ群（ＩＩＩ）のパワーが弱くなり、第３レンズ群（ＩＩＩ）の移動量が増えてレンズ系全長が長くなり、沈胴時の薄型化が困難になり、一方、ｆＧ２／ｆＧ３の値が条件式（９）の上限を超えると、第２レンズ群（ＩＩ）に対する第３レンズ群（ＩＩＩ）のパワーが強くなり過ぎ、レンズ系全長としては有利になるが、収差の補正、特に非点収差の補正が困難になる。
すなわち、条件式（７），（８）を満たすことにより、第１レンズ群（Ｉ）のパワーを適切に設定でき、第１レンズ群（Ｉ）の移動量を適切な値に設定することができる。これにより、レンズを移動させるカム筒の径が大きくなるのを防止でき、沈胴時における小型化を達成でき、又、諸収差を良好に補正することができる。また、条件式（９）を満たすことにより、第２レンズ群（ＩＩ）に対する第３レンズ群（ＩＩＩ）のパワーを適切に設定でき、レンズ系全長を短くでき、沈胴時における薄型化を達成でき、又、諸収差特に非点収差を良好に補正することができる。
【００２８】
また、上記構成において、第１レンズ１の焦点距離ｆ１、第２レンズ２の焦点距離ｆ２が、好ましくは下記条件式（１０）、
（１０）０．２５＜｜ｆ１／ｆ２｜＜０．５
を満足するように形成される。
条件式（１０）は、第２レンズ２に対する第１レンズ１の焦点距離を規定したものである。｜ｆ１／ｆ２｜の値が条件式（１０）を満たすことにより、諸収差特に広角端の非点収差を良好に補正することができる。
【００２９】
上記構成において、第３レンズ３のアッベ数ν３が、好ましくは下記条件式（１１）
（１１）ν３＞６０
を満足するように形成される。
条件式（１１）は、第３レンズ３のアッベ数ν３を規定したものである。ν３の値が条件式（１１）の下限を下回ると、広角端から望遠端での色収差、特に軸上色収差の補正が困難になる。すなわち、第３レンズ３のアッベ数ν３が条件式（１１）を満たすことにより、広角端から望遠端での色収差、特に軸上色収差を良好に補正することができる。
【００３０】
また、上記構成において、第４レンズ４のアッベ数ν４、第５レンズ５のアッベ数ν５が、好ましくは下記条件式（１２）
（１２）８．０＜ν４−ν５＜２５．０
を満足するように形成される。
条件式（１２）は、第４レンズ４及び第５レンズ５のアッベ数ν４，ν５を規定したものである。ν４−ν５の値が条件式（１２）の下限を下回ると、色収差の補正、特に広角端での倍率色収差の補正が困難になり、一方、ν４−ν５の値が上限を超えると、色収差の補正が過剰補正になり、望遠端での倍率色収差の補正が困難になる。
すなわち、ν４−ν５の値が条件式（１２）を満たすことにより、色収差、特に広角端及び望遠端での倍率色収差を良好に補正することができる。
【００３１】
ここで、第１レンズ１、第３レンズ３、及び第６レンズ６に適用される非球面を表す式としては、次式で規定される。
Ｚ＝Ｃｙ２／［１＋（１−εＣ２ｙ２）１／２］＋Ｄｙ４＋Ｅｙ６＋Ｆｙ８＋Ｇｙ１０
但し、Ｚ：非球面の頂点における接平面から、光軸Ｌからの高さがｙの非球面上の点までの距離、ｙ：光軸からの高さ、Ｃ：非球面の頂点における曲率（１／Ｒ）、ε：円錐定数、Ｄ，Ｅ，Ｆ，Ｇ：非球面係数である。
【００３２】
上記構成からなるズームレンズの具体的な数値による実施例を、実施例１、実施例２、実施例３として以下に示す。
【実施例１】
【００３３】
実施例１におけるレンズ構成は図１及び図２に示す通りであり、条件式（１）〜（１２）の数値データ、第１レンズ１〜第６レンズ６及びガラスフィルタ７，８の主な仕様諸元、種々の数値データ（設定値）は以下の通りである。
尚、実施例１においては、第１レンズ１の両面Ｓ１，Ｓ２、第３レンズ３の両面Ｓ６，Ｓ７、第６レンズ６の両面Ｓ１１，Ｓ１２が非球面に形成されている。
【００３４】
＜条件式の値＞
（１）Ｔｔ／ｆｗ＝３６．８４／６．４７＝５．６９
（２）ｆＧ２／ｆｗ＝１１．５８／６．４７＝１．７９
（３）｜ｆ１／ｆ６｜＝｜９．６１／１７．６８｜＝０．５４
（４）Ｄｗ１−２／Ｄｗ２−３＝１３．２８１／３．８０１＝３．４９
（５）Ｄｔ１−２／Ｄｔ２−３＝１．９５０／１８．２５２＝０．１１
（６）｜ｆＧ１／ｆＧ２｜＝｜−１６．１２／１１．５８｜＝１．３９
（７）｜ｆＧ１／ｆｗ｜＝｜−１６．１２／６．４７｜＝２．４９
（８）｜ｆＧ１／ｆｔ｜＝｜−１６．１２／１８．８６｜＝０．８５
（９）ｆＧ２／ｆＧ３＝１１．５８／１７．６８＝０．６５
（１０）｜ｆ１／ｆ２｜＝｜−９．６１／２７．６９｜＝０．３５
（１１）ν３＝７０．３
（１２）ν４−ν５＝４０．９−３１．１＝９．８
【００３５】
＜仕様諸元＞
物体距離＝∞（広角端〜中間〜望遠端）、レンズ系の焦点距離＝６．４７ｍｍ（広角端）〜１２．３４ｍｍ（中間）〜１８．８６ｍｍ（望遠端）、ズーム比（変倍比）＝２．９１、Ｆナンバー（ＦＮｏ．）＝２．９１（広角端）〜４．２４（中間）〜５．６７（望遠端）、画角（２ω）＝６３．３°（広角端）〜３４．２°（中間）〜２２．８°（望遠端）、射出瞳位置＝−１７．４８ｍｍ（広角端）〜−８５．９１ｍｍ（中間）〜１０４．３２ｍｍ（望遠端）、レンズ系全長（空気換算距離）＝３５．９７ｍｍ（広角端）〜３４．３６ｍｍ（中間）〜３６．８４ｍｍ（望遠端）、バックフォーカス（空気換算距離）＝５．５６ｍｍ（広角端）〜４．３３ｍｍ（中間）〜３．３１ｍｍ（望遠端）
【００３６】
＜曲率半径＞
Ｒ１＝−５０．０００ｍｍ（非球面）、Ｒ２＝５．７６９ｍｍ（非球面）、Ｒ３＝９．５１６ｍｍ、Ｒ４＝１５．０６５ｍｍ、Ｒ５（開口絞り）＝∞、Ｒ６＝５．４５０ｍｍ（非球面）、Ｒ７＝−１８．４４８ｍｍ（非球面）、Ｒ８＝１０．３００ｍｍ、Ｒ９＝−１１．４１５ｍｍ、Ｒ１０＝３．７４７ｍｍ、Ｒ１１＝３０．０２８ｍｍ（非球面）、Ｒ１２＝−１３．３５１ｍｍ（非球面）、Ｒ１３＝∞、Ｒ１４＝∞、Ｒ１５＝∞、Ｒ１６＝∞
【００３７】
＜光軸上の間隔＞
Ｄ１＝１．９００ｍｍ、Ｄ２＝２．７２６ｍｍ、Ｄ３＝１．６００ｍｍ、Ｄ４＝可変、Ｄ５＝０．４００ｍｍ、Ｄ６＝１．８００ｍｍ、Ｄ７＝０．２００ｍｍ、Ｄ８＝２．０５０ｍｍ、Ｄ９＝０．５５０ｍｍ、Ｄ１０＝可変、Ｄ１１＝２．１００ｍｍ、Ｄ１２＝可変、Ｄ１３＝０．３８０ｍｍ、Ｄ１４＝０．３００ｍｍ、Ｄ１５＝０．５００ｍｍ、Ｄ１６＝０．５００ｍｍ
【００３８】
＜屈折率（Ｎｉ）＞
Ｎ１＝１．５２５１２０、Ｎ２＝１．８０５１８０、Ｎ３＝１．５１８３５０、Ｎ４＝１．８０６１００、Ｎ５＝１．６８８９３０、Ｎ６＝１．５２５１２０、Ｎ７＝１．５１６７９８、Ｎ８＝１．５１６７９８
【００３９】
＜アッベ数（νｉ）＞
ν１＝５６．３、ν２＝２５．４、ν３＝７０．３、ν４＝４０．９、ν５＝３１．１、ν６＝５６．３、ν７＝６４．２、ν８＝６４．２
【００４０】
＜ズーム間隔（Ｄ４，Ｄ１０，Ｄ１２）＞
Ｄ４＝１３．２８１ｍｍ（Ｄｗ１−２；広角端）〜５．２４６ｍｍ（中間）〜１．９５０ｍｍ（Ｄｔ１−２；望遠端）
Ｄ１０＝３．８０３ｍｍ（Ｄｗ２−３；広角端）〜１１．４６５ｍｍ（中間）〜１８．２５２ｍｍ（Ｄｔ２−３；望遠端）
Ｄ１２＝４．１６９ｍｍ（広角端）〜２．９３９ｍｍ（中間）〜１．９２５ｍｍ（望遠端）
【００４１】
＜非球面係数の数値データ＞
＜Ｓ１面＞
ε＝１．００００００、Ｄ＝−０．１１２６１９９１×１０−３、Ｅ＝０．７１１１４６４５×１０−５、Ｆ＝−０．１２４１９６０４×１０−６、Ｇ＝０．７７４２２１９９×１０−９
＜Ｓ２面＞
ε＝−０．１５０２９４、Ｄ＝０．１２８０１４７６×１０−３、Ｅ＝０．１４３３５７２４×１０−４、Ｆ＝−０．７５４８３７２７×１０−７、Ｇ＝−０．１５５３４６４７×１０−８
＜Ｓ６面＞
ε＝−０．０７８２３７、Ｄ＝０．４０５１３０１６×１０−４、Ｅ＝−０．１４１５６３０９×１０−４、Ｆ＝０．１７２５６９１０×１０−５、Ｇ＝−０．１１４２９８７３×１０−６
＜Ｓ７面＞
ε＝１．００００００、Ｄ＝０．３２８０３５３４×１０−３、Ｅ＝−０．８６８４５７１２×１０−５、Ｆ＝０．０、Ｇ＝０．０
＜Ｓ１１面＞
ε＝１．００００００、Ｄ＝０．２６０３７０９１×１０−３、Ｅ＝−０．６９６６７５８０×１０−５、Ｆ＝０．０、Ｇ＝０．０
＜Ｓ１２面＞
ε＝１．００００００、Ｄ＝０．５８０６８６０１×１０−３、Ｅ＝−０．１７８８３５５５×１０−４、Ｆ＝０．１７２２５７９１×１０−６、Ｇ＝−０．１１４８０１４６×１０−８
【００４２】
実施例１において、広角端、中間位置、望遠端での諸収差（球面収差、非点収差、歪曲収差、倍率色収差）は、それぞれ図３、図４、図５に示す結果となる。尚、図３ないし図５中の非点収差において、Ｓはサジタル平面での収差、Ｍはメリジオナル平面での収差を示す。
この実施例１によれば、ズーム比が２．９１、レンズ系全長が最大で３６．８４ｍｍ、広角端でのＦナンバーが２．９１で、諸収差が良好に補正された光学性能の高い、低コストで小型のズームレンズが得られる。
【実施例２】
【００４３】
実施例２におけるレンズ構成は図１及び図２に示す通りであり、条件式（１）〜（１２）の数値データ、第１レンズ１〜第６レンズ６及びガラスフィルタ７，８の主な仕様諸元、種々の数値データ（設定値）は以下の通りである。
尚、実施例２においては、第１レンズ１の両面Ｓ１，Ｓ２、第３レンズ３の両面Ｓ６，Ｓ７、第６レンズ６の両面Ｓ１１，Ｓ１２が非球面に形成されている。
【００４４】
＜条件式の値＞
（１）Ｔｔ／ｆｗ＝３５．５６／６．１３＝５．８０
（２）ｆＧ２／ｆｗ＝１１．３６／６．１３＝１．８５
（３）｜ｆ１／ｆ６｜＝｜−９．４５／１６．７５｜＝０．５６
（４）Ｄｗ１−２／Ｄｗ２−３＝１３．４４０／３．５６８＝３．７７
（５）Ｄｔ１−２／Ｄｔ２−３＝４．７８１／１１．７７１＝０．４１
（６）｜ｆＧ１／ｆＧ２｜＝｜−１５．７５／１１．３６｜＝１．３９
（７）｜ｆＧ１／ｆｗ｜＝｜−１５．７５／６．１３｜＝２．５７
（８）｜ｆＧ１／ｆｔ｜＝｜−１５．７５／１８．０８｜＝０．８７
（９）ｆＧ２／ｆＧ３＝１１．３６／１６．７５＝０．６８
（１０）｜ｆ１／ｆ２｜＝｜−９．４５／２７．８８｜＝０．３４
（１１）ν３＝７０．３
（１２）ν４−ν５＝５２．６−３２．１＝２０．５
【００４５】
＜仕様諸元＞
物体距離＝∞（広角端〜中間〜望遠端）、レンズ系の焦点距離＝６．１３ｍｍ（広角端）〜１２．４７ｍｍ（中間）〜１８．０８ｍｍ（望遠端）、ズーム比（変倍比）＝２．９４、Ｆナンバー（ＦＮｏ．）＝３．０９（広角端）〜４．６９（中間）〜６．０４（望遠端）、画角（２ω）＝６３．７°（広角端）〜３２．０°（中間）〜２２．４°（望遠端）、射出瞳位置＝−１７．３４ｍｍ（広角端）〜−１４４．５３ｍｍ（中間）〜８７．７５ｍｍ（望遠端）、レンズ系全長（空気換算距離）＝３５．３９ｍｍ（広角端）〜３３．５４ｍｍ（中間）〜３５．５６ｍｍ（望遠端）、バックフォーカス（空気換算距離）＝５．１２ｍｍ（広角端）〜３．７３ｍｍ（中間）〜２．９６ｍｍ（望遠端）
【００４６】
＜曲率半径＞
Ｒ１＝−５０．０００ｍｍ（非球面）、Ｒ２＝５．６３７ｍｍ（非球面）、Ｒ３＝１０．８１２ｍｍ、Ｒ４＝１８．８０５ｍｍ、Ｒ５（開口絞り）＝∞、Ｒ６＝４．９７３ｍｍ（非球面）、Ｒ７＝−２５．３６３ｍｍ（非球面）、Ｒ８＝８．２６２ｍｍ、Ｒ９＝−１００．５５０ｍｍ、Ｒ１０＝３．５４７ｍｍ、Ｒ１１＝２３．７６０ｍｍ（非球面）、Ｒ１２＝−１３．７９２ｍｍ（非球面）、Ｒ１３＝∞、Ｒ１４＝∞、Ｒ１５＝∞、Ｒ１６＝∞
【００４７】
＜光軸上の間隔＞
Ｄ１＝１．４００ｍｍ、Ｄ２＝２．８３４ｍｍ、Ｄ３＝１．８００ｍｍ、Ｄ４＝可変、Ｄ５＝０．４００ｍｍ、Ｄ６＝１．９００ｍｍ、Ｄ７＝０．１５０ｍｍ、Ｄ８＝１．７７２ｍｍ、Ｄ９＝０．５５０ｍｍ、Ｄ１０＝可変、Ｄ１１＝２．１５０ｍｍ、Ｄ１２＝可変、Ｄ１３＝０．３８０ｍｍ、Ｄ１４＝０．３００ｍｍ、Ｄ１５＝０．５００ｍｍ、Ｄ１６＝０．５００ｍｍ
【００４８】
＜屈折率（Ｎｉ）＞
Ｎ１＝１．５２５１２０、Ｎ２＝１．８０５１８０、Ｎ３＝１．５１８３５０、Ｎ４＝１．７４１０００、Ｎ５＝１．６７２７００、Ｎ６＝１．５２５１２０、Ｎ７＝１．５１６７９８、Ｎ８＝１．５１６７９８
【００４９】
＜アッベ数（νｉ）＞
ν１＝５６．３、ν２＝２５．４、ν３＝７０．３、ν４＝５２．６、ν５＝３２．１、ν６＝５６．３、ν７＝６４．２、ν８＝６４．２
【００５０】
＜ズーム間隔（Ｄ４，Ｄ１０，Ｄ１２）＞
Ｄ４＝１３．４４０ｍｍ（Ｄｗ１−２；広角端）〜４．７８１ｍｍ（中間）〜１．９００ｍｍ（Ｄｔ１−２；望遠端）
Ｄ１０＝３．５６８ｍｍ（Ｄｗ２−３；広角端）〜１１．７７１ｍｍ（中間）〜１７．４７０ｍｍ（Ｄｔ２−３；望遠端）
Ｄ１２＝３．７３５ｍｍ（広角端）〜２．３３８ｍｍ（中間）〜１．５４２ｍｍ（望遠端）
【００５１】
＜非球面係数の数値データ＞
＜Ｓ１面＞
ε＝１．００００００、Ｄ＝−０．４５３０６７４７×１０−３、Ｅ＝０．１８９２９４７７×１０−４、Ｆ＝−０．３１５０００８０×１０−６、Ｇ＝０．１８２２４２７０×１０−８
＜Ｓ２面＞
ε＝−０．９２１２４２、Ｄ＝０．２１０４３９２６×１０−３、Ｅ＝０．８８８５４５６０×１０−５、Ｆ＝０．４３２４１３１９×１０−６、Ｇ＝−０．１４６３７６５２×１０−７
＜Ｓ６面＞
ε＝−０．００００９５、Ｄ＝０．４６５２７２９２×１０−３、Ｅ＝０．５９３８８３８８×１０−４、Ｆ＝−０．３９８６５４０７×１０−５、Ｇ＝０．８２２０６４８２×１０−６
＜Ｓ７面＞
ε＝１．００００００、Ｄ＝０．７０２３４９０８×１０−３、Ｅ＝０．８４４５５９０４×１０−４、Ｆ＝−０．８７３９３８２０×１０−５、Ｇ＝０．１３９０３７９７×１０−５
＜Ｓ１１面＞
ε＝１．００００００、Ｄ＝０．１５５０７３６６×１０−３、Ｅ＝０．１５１５７１８１×１０−５、Ｆ＝０．６０９３０３３５×１０−７、Ｇ＝０．０
＜Ｓ１２面＞
ε＝１．００００００、Ｄ＝０．６５５６３８４５×１０−３、Ｅ＝−０．２２１２３９９９×１０−４、Ｆ＝０．８２１７４９３５×１０−６、Ｇ＝−０．１２８０７７４１×１０−７
【００５２】
上記実施例２において、広角端、中間位置、望遠端での諸収差（球面収差、非点収差、歪曲収差、倍率色収差）は、それぞれ図６、図７、図８に示す結果となる。尚、図６ないし図８中の非点収差において、Ｓはサジタル平面での収差、Ｍはメリジオナル平面での収差を示す。
この実施例２によれば、ズーム比が２．９４、レンズ系全長が最大で３５．５６ｍｍ、広角端でのＦナンバーが３．０９で、諸収差が良好に補正された光学性能の高い、低コストで小型のズームレンズが得られる。
【実施例３】
【００５３】
実施例３におけるレンズ構成は図１及び図２に示す通りであり、条件式（１）〜（１２）の数値データ、第１レンズ１〜第６レンズ６及びガラスフィルタ７，８の主な仕様諸元、種々の数値データ（設定値）は以下の通りである。
尚、実施例３においては、第１レンズ１の両面Ｓ１，Ｓ２、第３レンズ３の両面Ｓ６，Ｓ７、第６レンズ６の両面Ｓ１１，Ｓ１２が非球面に形成されている。
【００５４】
＜条件式の値＞
（１）Ｔｔ／ｆｗ＝３６．６９／６．４７＝５．６７
（２）ｆＧ２／ｆｗ＝１１．６３／６．４７＝１．８０
（３）｜ｆ１／ｆ６｜＝｜−１０．０６／１８．０７｜＝０．５６
（４）Ｄｗ１−２／Ｄｗ２−３＝１３．２６１／３．７５５＝３．５３
（５）Ｄｔ１−２／Ｄｔ２−３＝１．９／１８．１８７＝０．１０
（６）｜ｆＧ１／ｆＧ２｜＝｜−１６．６５／１１．６３｜＝１．４３
（７）｜ｆＧ１／ｆｗ｜＝｜−１６．６５／６．４７｜＝２．５７
（８）｜ｆＧ１／ｆｔ｜＝｜−１６．６５／１８．８６｜＝０．８８
（９）ｆＧ２／ｆＧ３＝１１．６３／１８．０６＝０．６４
（１０）｜ｆ１／ｆ２｜＝｜−１０．０６／２８．８７｜＝０．３５
（１１）ν３＝７０．３
（１２）ν４−ν５＝４０．９−３１．１＝９．８
【００５５】
＜仕様諸元＞
物体距離＝∞（広角端〜中間〜望遠端）、レンズ系の焦点距離＝６．４７ｍｍ（広角端）〜１２．３４ｍｍ（中間）〜１８．８６ｍｍ（望遠端）、ズーム比（変倍比）＝２．９１、Ｆナンバー（ＦＮｏ．）＝２．９３（広角端）〜４．５２（中間）〜５．７１（望遠端）、画角（２ω）＝６１．８°（広角端）〜３１．０°（中間）〜２２．３°（望遠端）、射出瞳位置＝−１７．３８０ｍｍ（広角端）〜−１３０．２５０ｍｍ（中間）〜１２１．０７５ｍｍ（望遠端）、レンズ系全長（空気換算距離）＝３６．０９ｍｍ（広角端）〜３４．７２ｍｍ（中間）〜３６．６９ｍｍ（望遠端）、バックフォーカス（空気換算距離）＝５．７８ｍｍ（広角端）〜４．１１ｍｍ（中間）〜３．３０ｍｍ（望遠端）
【００５６】
＜曲率半径＞
Ｒ１＝−２００．０００ｍｍ（非球面）、Ｒ２＝５．５１３ｍｍ（非球面）、Ｒ３＝９．５７９ｍｍ、Ｒ４＝１４．７７７ｍｍ、Ｒ５（開口絞り）＝∞、Ｒ６＝５．４００ｍｍ（非球面）、Ｒ７＝−２１．００９ｍｍ（非球面）、Ｒ８＝９．５３４ｍｍ、Ｒ９＝−１２．３１４ｍｍ、Ｒ１０＝３．６５７ｍｍ、Ｒ１１＝５０．４９３ｍｍ（非球面）、Ｒ１２＝−１１．７００ｍｍ（非球面）、Ｒ１３＝∞、Ｒ１４＝∞、Ｒ１５＝∞、Ｒ１６＝∞
【００５７】
＜光軸上の間隔＞
Ｄ１＝２．０００ｍｍ、Ｄ２＝２．７５１ｍｍ、Ｄ３＝１．６００ｍｍ、Ｄ４＝可変、Ｄ５＝０．４００ｍｍ、Ｄ６＝１．８００ｍｍ、Ｄ７＝０．１５０ｍｍ、Ｄ８＝２．０００ｍｍ、Ｄ９＝０．５５０ｍｍ、Ｄ１０＝可変、Ｄ１１＝２．０００ｍｍ、Ｄ１２＝可変、Ｄ１３＝０．３８０ｍｍ、Ｄ１４＝０．３００ｍｍ、Ｄ１５＝０．５００ｍｍ、Ｄ１６＝０．５００ｍｍ
【００５８】
＜屈折率（Ｎｉ）＞
Ｎ１＝１．５２５１２０、Ｎ２＝１．８０５１８０、Ｎ３＝１．５１８３５０、Ｎ４＝１．８０６１００、Ｎ５＝１．６８８９３０、Ｎ６＝１．５２５１２０、Ｎ７＝１．５１６７９８、Ｎ８＝１．５１６７９８
【００５９】
＜アッベ数（νｉ）＞
ν１＝５６．３、ν２＝２５．４、ν３＝７０．３、ν４＝４０．９、ν５＝３１．１、ν６＝５６．３、ν７＝６４．２、ν８＝６４．２
【００６０】
＜ズーム間隔（Ｄ４，Ｄ１０，Ｄ１２）＞
Ｄ４＝１３．２６１ｍｍ（Ｄｗ１−２；広角端）〜４．５９０ｍｍ（中間）〜１．９００ｍｍ（Ｄｔ１−２；望遠端）
Ｄ１０＝３．７５５ｍｍ（Ｄｗ２−３；広角端）〜１２．７２０ｍｍ（中間）〜１８．１８７ｍｍ（Ｄｔ２−３；望遠端）
Ｄ１２＝４．３９１ｍｍ（広角端）〜２．７２２ｍｍ（中間）〜１．９１５ｍｍ（望遠端）
【００６１】
＜非球面係数の数値データ＞
＜Ｓ１面＞
ε＝−１．００００００、Ｄ＝−０．４７６６２５９５×１０−３、Ｅ＝０．１７５９６４７５×１０−４、Ｆ＝−０．２７５９８０９１×１０−６、Ｇ＝０．１６２７１２４６×１０−８
＜Ｓ２面＞
ε＝−０．２１７９１５、Ｄ＝−０．２２１１０４７８×１０−３、Ｅ＝０．２０９４７８７２×１０−４、Ｆ＝０．１２８００８４７×１０−６、Ｇ＝−０．８５５７７７３３×１０−８
＜Ｓ６面＞
ε＝０．０４１４１７、Ｄ＝０．１７５３９２８６×１０−４、Ｅ＝−０．１６７１００５８×１０−４、Ｆ＝０．２１１８１０９８×１０−５、Ｇ＝−０．１３６９６１０７×１０−６
＜Ｓ７面＞
ε＝１．００００００、Ｄ＝０．３２９３０５１０×１０−３、Ｅ＝−０．９３５６６８３０×１０−５、Ｆ＝０．０、Ｇ＝０．０
＜Ｓ１１面＞
ε＝１．００００００、Ｄ＝−０．７４７５３８５０×１０−５、Ｅ＝０．４５２００１６９×１０−５、Ｆ＝−０．７１３２５２６７×１０−６、Ｇ＝０．０
＜Ｓ１２面＞
ε＝１．００００００、Ｄ＝０．２７４７６１９１×１０−３、Ｅ＝−０．４１９６０１２５×１０−５、Ｆ＝−０．５２２４５８８０×１０−６、Ｇ＝−０．５０１８９８９９×１０−９
【００６２】
上記実施例３において、広角端、中間位置、望遠端での諸収差（球面収差、非点収差、歪曲収差、倍率色収差）は、それぞれ図９、図１０、図１１に示す結果となる。尚、図９ないし図１１中の非点収差において、Ｓはサジタル平面での収差、Ｍはメリジオナル平面での収差を示す。
この実施例３によれば、ズーム比が２．９１、レンズ系全長が最大で３６．６９ｍｍ、広角端でのＦナンバーが２．９３で、諸収差が良好に補正された光学性能の高い、低コストで小型のズームレンズが得られる。
【産業上の利用可能性】
【００６３】
以上述べたように、本発明のズームレンズは、樹脂材料を用いたプラスチックレンズを第１レンズ及び第６レンズに適用し、パワー配置を適切に設定したことによって、ズーム比が３倍程度で、小型化、薄型化、高画素化を達成しつつ、低コスト化を達成でき、諸収差が良好に補正されて光学性能が高いため、デジタルスチルカメラ、デジタルビデオカメラ等のズームレンズとして適用できるのは勿論のこと、小型化、低コスト化等が要求されるその他のレンズ光学系においても有用である。
【図面の簡単な説明】
【００６４】
【図１】本発明に係るズームレンズの一実施形態を示すレンズ構成図である。
【図２】図１に示すズームレンズの動作を示すものであり、（ａ），（ｂ），（ｃ）は、広角端位置、中間位置、望遠端位置での状態図である。
【図３】実施例１のズームレンズにおいて、広角端における、球面収差、非点収差、歪曲収差、倍率色収差を示す収差図である。
【図４】実施例１のズームレンズにおいて、中間位置における、球面収差、非点収差、歪曲収差、倍率色収差を示す収差図である。
【図５】実施例１のズームレンズにおいて、望遠端における、球面収差、非点収差、歪曲収差、倍率色収差を示す収差図である。
【図６】実施例２のズームレンズにおいて、広角端における、球面収差、非点収差、歪曲収差、倍率色収差を示す収差図である。
【図７】実施例２のズームレンズにおいて、中間位置における、球面収差、非点収差、歪曲収差、倍率色収差を示す収差図である。
【図８】実施例２のズームレンズにおいて、望遠端における、球面収差、非点収差、歪曲収差、倍率色収差を示す収差図である。
【図９】実施例３のズームレンズにおいて、広角端における、球面収差、非点収差、歪曲収差、倍率色収差を示す収差図である。
【図１０】実施例３のズームレンズにおいて、中間位置における、球面収差、非点収差、歪曲収差、倍率色収差を示す収差図である。
【図１１】実施例３のズームレンズにおいて、望遠端における、球面収差、非点収差、歪曲収差、倍率色収差を示す収差図である。
【符号の説明】
【００６５】
Ｉ  第１レンズ群
ＩＩ  第２レンズ群
ＩＩＩ  第３レンズ群
１  第１レンズ
２  第２レンズ
ＳＤ  開口絞り
３  第３レンズ
４  第４レンズ
５  第５レンズ
６  第６レンズ
７，８  ガラスフィルタ
Ｐ  像面
Ｌ  光軸
ｆｗ  広角端でのレンズ系の焦点距離
ｆｔ  望遠端でのレンズ系の焦点距離
ｆＧ１  第１レンズ群の焦点距離
ｆＧ２  第２レンズ群の焦点距離
ｆＧ３  第３レンズ群の焦点距離
ｆ１  第１レンズの焦点距離
ｆ２  第２レンズの焦点距離
ｆ６  第６レンズの焦点距離
Ｄｗ１−２  第１レンズ群と第２レンズ群の広角端における間隔
Ｄｔ１−２  第１レンズ群と第２レンズ群の望遠端における間隔
Ｄｗ２−３  第２レンズ群と第３レンズ群の広角端における間隔
Ｄｔ２−３  第２レンズ群と第３レンズ群の望遠端における間隔
【図１】
2008216517.tif 000003
【図２】
2008216517.tif 000004
【図３】
2008216517.tif 000005
【図４】
2008216517.tif 000006
【図５】
2008216517.tif 000007
【図６】
2008216517.tif 000008
【図７】
2008216517.tif 000009
【図８】
2008216517.tif 000010
【図９】
2008216517.tif 000011
【図１０】
2008216517.tif 000012
【図１１】
2008216517.tif 000013